(57)【要約】  本発明の実施例は同期信号送信方法、装置及びコンピュータ記憶媒体を提供する。該方法は、第１キャリアセットに基づいて第２キャリアセットを確定し、ここで前記第１キャリアセットが、同期基準信号を提供することができるキャリアを含むことと、前記第２キャリアセット内の全てのキャリアで、同期信号を送信することとを含むことができる。本発明の実施例の考案では、同期基準信号を提供することができる第１キャリアセットから第２キャリアセットを確定した後に、第２キャリアセット内の全てのキャリアでマルチキャリア伝送のための同期信号を送信する。これにより、カーインターネットシステムがマルチキャリア伝送を行う場合、同期信号の送信が実現される。
2021516889.tif 000002
【特許請求の範囲】
【請求項１】
同期信号送信方法であって、端末装置に適用され、
第１キャリアセットに基づいて第２キャリアセットを確定し、ここで前記第１キャリアセットが、同期基準信号を提供することができるキャリアを含むことと、
前記第２キャリアセット内の全てのキャリアで、同期信号を送信することとを含む、前記同期信号送信方法。
【請求項２】
第１キャリアセットに基づいて第２キャリアセットを確定することは、
前記端末がデータ伝送を行うために必要なキャリアに基づき、前記第１キャリアセットから前記第２キャリアセットを確定することを含むことを特徴とする
請求項１に記載の方法。
【請求項３】
前記端末がデータ伝送を行うために必要なキャリアに基づき、前記第１キャリアセットから前記第２キャリアセットを確定することは、
前記端末がデータ伝送を行うために必要なキャリアと前記第１キャリアセットとの共通部分を前記第２キャリアセットとして確定することを含むことを特徴とする
請求項２に記載の方法。
【請求項４】
前記第２キャリアセット内の全てのキャリアで、同期信号を送信することは、
前記第２キャリアセット内の全てのキャリアの同一サブフレームで、前記同期信号を送信することを含むことを特徴とする
請求項１に記載の方法。
【請求項５】
前記第２キャリアセット内の全てのキャリアで、同期信号を送信することは、
前記第２キャリアセット内の全てのキャリアの異なるサブフレームで、前記同期信号を送信することを含むことを特徴とする
請求項１に記載の方法。
【請求項６】
前記同期信号は、グローバルナビゲーション衛星システム（ＧＮＳＳ）に基づく時間同期信号及び／又は周波数同期信号を含み、又は基地局に基づく時間同期信号及び／又は周波数同期信号を含み、又は端末に基づく時間同期信号及び／又は周波数同期信号を含むことができることを特徴とする
請求項１に記載の方法。
【請求項７】
前記方法はさらに、
前記同期信号に基づき、前記端末がデータ伝送を行うために必要なキャリアで、マルチキャリアの同期伝送を行うことを含むことを特徴とする
請求項２に記載の方法。
【請求項８】
端末装置であって、確定部と送信部を備え、ここで、
前記確定部が第１キャリアセットに基づいて第２キャリアセットを確定するように構成され、ここで、前記第１キャリアセットが、同期基準信号を提供することができるキャリアを含み、
前記送信部が前記第２キャリアセット内の全てのキャリアで、同期信号を送信するように構成される、前記端末装置。
【請求項９】
前記確定部は、
前記端末装置がデータ伝送を行うために必要なキャリアに基づき、前記第１キャリアセットから前記第２キャリアセットを確定するように構成されることを特徴とする
請求項８に記載の端末装置。
【請求項１０】
前記確定部は、
前記端末がデータ伝送を行うために必要なキャリアと前記第１キャリアセットとの共通部分を前記第２キャリアセットとして確定するように構成されることを特徴とする
請求項９に記載の端末装置。
【請求項１１】
前記送信部は前記第２キャリアセット内の全てのキャリアの同一サブフレームで、前記同期信号を送信するように構成されることを特徴とする
請求項８に記載の端末装置。
【請求項１２】
前記送信部は前記第２キャリアセット内の全てのキャリアの異なるサブフレームで、前記同期信号を送信するように構成されることを特徴とする
請求項８に記載の端末装置。
【請求項１３】
前記同期信号はグローバルナビゲーション衛星システム（ＧＮＳＳ）に基づく時間同期信号及び／又は周波数同期信号を含み、又は基地局に基づく時間同期信号及び／又は周波数同期信号を含み、又は端末に基づく時間同期信号及び／又は周波数同期信号を含むことができることを特徴とする
請求項８に記載の端末装置。
【請求項１４】
前記端末装置は、前記同期信号に基づき、前記端末がデータ伝送を行うために必要なキャリアで、マルチキャリアの同期伝送を行うように構成される伝送部をさらに備えることを特徴とする
請求項９に記載の端末装置。
【請求項１５】
端末装置であって、ネットワークインタフェース、メモリとプロセッサを備え、ここで、
前記ネットワークインタフェースが、他の外部ネットワーク要素との情報の送受信において、信号を受信及び送信するように構成され、
前記メモリが、前記プロセッサで実行可能なコンピュータプログラムを記憶するように構成され、
前記プロセッサが前記コンピュータプログラムを実行する時に、請求項１−７のいずれか一項に記載される方法のステップを実行するように構成される、前記端末装置。
【請求項１６】
コンピュータ記憶媒体であって、同期信号を送信するためのプログラムを記憶し、同期信号を送信するためのプログラムが少なくとも一つのプロセッサに実行される時に請求項１−７のいずれか一項に記載の方法のステップを実現する、前記コンピュータ記憶媒体。
【発明の詳細な説明】
【技術分野】
【０００１】
本発明の実施例は、無線通信技術分野に関し、特に同期信号送信方法、装置及びコンピュータ記憶媒体に関する。
【背景技術】
【０００２】
カーインターネットシステムでは、長期進化（ＬＴＥ：Ｌｏｎｇ  Ｔｅｒｍ  Ｅｖｏｌｕｔｉｏｎ）−デバイスツーデバイス（Ｄ２Ｄ：Ｄｅｖｉｃｅ  ｔｏ  Ｄｅｖｉｃｅ）に基づくサイドリンク（ＳＬ：Ｓｉｄｅｌｉｎｋ）伝送技術が用いられ、従来のＬＴＥシステムにおける通信データが基地局を介して受信又は送信される方式とは異なり、カーインターネットシステムは、端末から端末への直接通信の方式を用いるため、より高いスペクトル効率及びより低い伝送遅延を有する。
【０００３】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）のリリース（Ｒｅｌｅａｓｅ）１４（Ｒｅｌ−１４）において、カーインターネット技術（Ｖ２Ｘ：Ｖｅｈｉｃｌｅ−ｔｏ−Ｅｖｅｒｙｔｈｉｎｇ）に対して標準化を行い、モード３とモード４の２つの伝送モードが定義される。モード３において、端末の伝送リソースは基地局によって割り当てられる。モード４において、端末はセンシング（ｓｅｎｓｉｎｇ）＋予約（ｒｅｓｅｒｖａｔｉｏｎ）方式で伝送リソースを確定する。
【０００４】
Ｒｅ１−１５カーインターネットシステムでは、マルチキャリア伝送考案が導入されており、端末のデータが一つ又は複数のキャリアで伝送されることができる。端末がマルチキャリアでデータ伝送を行う場合、端末がマルチキャリアで同期伝送を行うことができるように、まず、時間同期を行う必要があり、これに基づき、どのように同期信号の送信を行うかは解決すべき問題である。
【発明の概要】
【発明が解決しようとする課題】
【０００５】
上記技術的問題を解決するために、本発明の実施例は、同期信号送信方法、装置及びコンピューター記憶媒体を提供する。
【課題を解決するための手段】
【０００６】
本発明の実施例における考案は以下のように実現されてもよい。
【０００７】
第１態様では、本発明の実施例に係る端末装置に応用される同期信号送信方法は、
第１キャリアセットに基づいて第２キャリアセットを確定し、ここで前記第１キャリアセットが、同期基準信号を提供することができるキャリアを含むことと、
前記第２キャリアセット内の全てのキャリアで、同期信号を送信することとを含む。
【０００８】
第２態様では、本発明の実施例に係る端末装置は、確定部と送信部を備え、ここで、
前記確定部が第１キャリアセットに基づいて第２キャリアセットを確定するように構成され、ここで、前記第１キャリアセットが、同期基準信号を提供することができるキャリアを含み、
前記送信部が前記第２キャリアセット内の全てのキャリアで、同期信号を送信するように構成される。
【０００９】
第３態様では、本発明の実施例に係る端末装置は、ネットワークインタフェース、メモリとプロセッサを備え、ここで、
前記ネットワークインタフェースが、他の外部ネットワーク要素との情報の送受信において、信号を受信及び送信するように構成され、
前記メモリが、前記プロセッサで実行可能なコンピュータプログラムを記憶するように構成され、
前記プロセッサが前記コンピュータプログラムを実行する時に、第１態様に記載される方法のステップを実行するように構成される。
【００１０】
第４態様では、本発明の実施例に係るコンピュータ記憶媒体は、同期信号を送信するためのプログラムを記憶し、同期信号を送信するためのプログラムが少なくとも一つのプロセッサに実行される時に第１態様に記載される方法のステップを実現する。
【００１１】
本発明の実施例は同期信号送信方法、装置及びコンピュータ記憶媒体を提供し、本発明の実施例の考案では、同期基準信号を提供することができる第１キャリアセットから第２キャリアセットを確定した後に、第２キャリアセット内の全てのキャリアでマルチキャリア伝送のための同期信号を送信する。これにより、カーインターネットシステムがマルチキャリア伝送を行う場合、同期信号の送信が実現される。
【図面の簡単な説明】
【００１２】
【図１】カーインターネットにおけるモード３のシーンを示す図である。
【図２】カーインターネットにおけるモード４のシーンを示す図である。
【図３】本発明の実施例に係る同期信号送信方法のフローチャートである。
【図４】本発明の実施例に係るキャリアセットを示す図である。
【図５】本発明の実施例に係るキャリアサブフレーム構造を示す図である。
【図６】本発明の実施例に係る別のキャリアサブフレーム構造を示す図である。
【図７】本発明の実施例に係る端末装置の構成図である。
【図８】本発明の実施例に係る別の端末装置の構成図である。
【図９】本発明の実施例に係る端末装置の具体的なハードウェア構造を示す図である。
【発明を実施するための形態】
【００１３】
ここで説明される図面は本発明をさらに理解させるためのもので、本出願の一部を構成し、本発明の概略的な実施例及びその説明は本発明を解釈するためのものであり、本発明に対する不適切な限定を構成しない。
【００１４】
本発明の実施例の特徴と技術内容をより詳しく理解することができるために、以下に図面と組み合わせて本発明の実施例の実現を詳しく説明し、添付の図面が例示のみを目的としており、本発明の実施例を限定することに用いられない。
【００１５】
本発明の実施例の考案を容易に理解するために、以下にカーインターネットにおけるモード３とモード４をそれぞれ解釈して説明する。
【００１６】
モード３では、図１に示されるように、車載端末の伝送リソースは、基地局（例えばＬＴＥにおける進化型基地局（ｅＮＢ：ｅｖｏｌｖｅｄ  ＮｏｄｅＢ）又は新しい無線（ＮＲ：Ｎｅｗ  Ｒａｄｉｏ）システムにおける５Ｇ基地局ｇＮＢ）によって割り当てられ、具体的には、基地局は、ダウンリンク（ＤＬ：Ｄｏｗｎ  Ｌｉｎｋ）によって車載端末へグランド（Ｇｒａｎｔ）リソースを示すための制御メッセージを送信し、その後、車載端末は基地局によって割り当てられたリソースに基づいてＳＬでデータを送信する。モード３では、基地局は車載端末に単一回数の伝送のリソースを割り当てることができ、端末に半静的伝送のリソースを割り当てることもできる。
【００１７】
モード４では、図２に示されるように、車載端末はセンシング＋予約の伝送方式を用いる。車載端末はリソースプールでセンシングすることで利用可能な伝送リソースセットを取得し、車載端末は該伝送リソースセットから一つのリソースをランダムに選択してデータを伝送する。カーインターネットシステムにおけるサービスに周期的な特徴があるため、車載端末は一般的に半静的伝送方式を採用し、即ち車載端末は一つの伝送リソースを選択した後、複数の伝送周期で該リソースを継続的に使用し、これにより、リソース再選択及びリソース衝突の確率が低下する。車載端末は今回の伝送される制御情報に予約された次回の伝送リソースの情報を含ませ、これにより、他の端末は該車載端末の制御情報を検出することで、このリソースが該車載端末に予約及び使用されるか否かを判定し、リソース衝突の低減の目的を達成することができる。
【００１８】
説明すべきものとして、ＬＴＥ−Ｖ２Ｘでは、それぞれモード３を使用し、車載端末の伝送リソースが基地局によって割り当てられることを示し、モード４を使用し、車載端末の伝送リソースが端末によって自律的に選択されることを示し、新しい無線−カーインターネット技術（ＮＲ−Ｖ２Ｘ：Ｎｅｗ  Ｒａｄｉｏ  −Ｖｅｈｉｃｌｅ−ｔｏ−Ｅｖｅｒｙｔｈｉｎｇ）では、新しい伝送モードが定義されてもよく、本発明はこれに限定されない。
【００１９】
上記カーインターネットのモードアーキテクチャに対して、端末は、複数のキャリアで同期伝送を行う時に、一般的にネットワークにおける上位層装置によって第１キャリアセットを配置し、該セットに同期基準情報を提供する能力を備えたキャリアが含まれ、端末は、第１キャリアセットから第２キャリアセットを選択することができ、第２キャリアセットに、端末がマルチキャリア同期伝送を行うためのキャリアが含まれ、したがって、第２キャリアセットが第１キャリアセットのサブセットとして考えられてもよく、さらに、第２キャリアセットが第１キャリアセットと同じであってもよい。端末はマルチキャリアの同期送信を行うように、第２キャリアセットによって同期基準を取得する必要がある。したがって、同期信号の送信を行う必要がある。
【００２０】
本発明の実施例の全ての考案は、カーインターネットシステムだけでなく、他のエンドツーエンド通信システムに適用することができ、本発明の実施例における前記端末は、車載端末、ハンドヘルド端末、ハンドヘルドコンピュータ（ＰＤＡ：Ｐｅｒｓｏｎａｌ  Ｄｉｇｉｔａｌ  Ａｓｓｉｓｔａｎｔ）、ウェアラブル端末などであってもよく、本発明の実施例における前記ネットワークは、ＮＲネットワーク、ＬＴＥネットワークなどであってもよい。
【００２１】
上記の２種類のカーインターネットＶ２Ｘモードアーキテクチャの例に基づいて、本出願の以下の実施例が提案される。
【００２２】
実施例１
図３を参照し、それが本発明の実施例に係る同期信号送信のプロセスを示し、該プロセスがカーインターネットＶ２Ｘモードアーキテクチャにおける端末に応用されてもよく、該方法は以下を含むことができる。
【００２３】
Ｓ３０１において、第１キャリアセットに基づいて第２キャリアセットを確定し、ここで、前記第１キャリアセットが、同期基準信号を提供することができるキャリアを含む。
【００２４】
Ｓ３０２において、前記第２キャリアセット内の全てのキャリアで、同期信号を送信する。
【００２５】
図３に示される考案に対して、同期基準信号を提供することができる第１キャリアセットから第２キャリアセットを確定した後に、第２キャリアセット内の全てのキャリアでマルチキャリア伝送のための同期信号を送信する。これにより、カーインターネットシステムがマルチキャリア伝送を行う場合、同期信号の送信が実現される。
【００２６】
図３に示される考案に対して、一つの可能な実現形態では、第１キャリアセットに基づいて第２キャリアセットを確定することは、
前記端末がデータ伝送を行うために必要なキャリアに基づき、前記第１キャリアセットから前記第２キャリアセットを確定することを含む。
【００２７】
上記実現形態に対して、本実施例では、端末は複数のキャリアを使用してデータを伝送することができ、具体的に実現する時に、端末はモード３によって伝送リソースを取得しても良く、モード４によって伝送リソースを取得しても良い。端末がデータ伝送を行うために必要なキャリアを、同期基準信号を提供することができる第１キャリアセットと組み合わせすれば、マルチキャリア伝送プロセスにおける第２キャリアセットを取得することができる。
【００２８】
これに基づき、前記端末がデータ伝送を行うために必要なキャリアに基づき、前記第１キャリアセットから前記第２キャリアセットを確定することは、
前記端末がデータ伝送を行うために必要なキャリアと前記第１キャリアセットとの共通部分を前記第２キャリアセットとして確定することを含む。
【００２９】
図４に示されるキャリアセットを例とすると、サイドリンクシステムは、それぞれキャリア１、キャリア２、キャリア３、．．．．．．、キャリア８として示される合計８つのキャリアをサポートすることができ、ここで、第１キャリアセットがキャリア１〜キャリア４を含み、同期基準情報を提供する能力を有すキャリアセットであり、ＵＥ１がデータ送信を行うためにキャリア１、キャリア２、キャリア５、キャリア６を使用する必要があると設定された場合、ＵＥ１は、データ伝送に必要なキャリアセットを組み合わせ、第１キャリアセットから、キャリア１とキャリア２を含む第２キャリアセットを選択することができる。よって、第２キャリアセットは、第１キャリアセットに含まれる、端末ＵＥ１がマルチキャリア伝送を行う必要があるキャリアのセットであり、具体的に第１キャリアセットとＵＥ１がデータ伝送を行うために必要なキャリアとの共通部分で取得されるものであり、これにより、端末によって取得された第２キャリアセットにキャリア１とキャリア２が含まれ、理解可能に、キャリア１とキャリア２が同期基準情報を提供できる能力を備えたキャリアであるため、端末はまずキャリア１とキャリア２から同期情報を取得することができ、例えば、端末がキャリア１から取得した同期情報が基地局によって提供され、端末がキャリア２から取得した同期情報が他の端末によって提供される場合、端末は、異なる同期ソース（即ち基地局と他の端末）からの異なる情報から、送信する必要がある同期情報を確定することができ、その後、キャリア１とキャリア２のいずれにおいても、上記の送信する必要がある同期情報を送信し、且つ４つのキャリア、即ちキャリア１、キャリア２、キャリア５、キャリア６で同期伝送を行うことができる。
【００３０】
本実施例では、第２キャリアセットには少なくとも一つのキャリアが含まれ、且ついずれも同期情報を送信するための同期キャリアとして用いられてもよい。具体的には、本実施例では、同期キャリアにおける同期情報（同期ソースとも呼ばれる）は、ＧＮＳＳに基づく時間同期情報及び／又は周波数同期情報であってもよいし、基地局に基づく時間同期情報及び／又は周波数同期情報であってもよいし、端末に基づく時間同期情報及び／又は周波数同期情報であってもよい。これらの同期キャリアにおける同期情報は、他のキャリアに時間同期情報及び／又は周波数同期情報を提供することに用いられ、複数のキャリアによるデータ同期伝送を実現するために、
ステップＳ３０２において、第２キャリアセット内の全てのキャリアで、同期信号を送信することにより、第２キャリアセット内の全てのキャリアにおける同期信号を他の端末に同期基準を提供するようにすることができ、それによって隣接する端末は、時間及び／又は周波数において同期することができ、且つ半二重に起因する影響を軽減することができる。
【００３１】
図３に示される考案の場合、第２キャリアセットに対して、一つの可能な実現形態では、ステップＳ３０２で説明した前記第２キャリアセット内の全てのキャリアで、同期信号を送信することは、前記第２キャリアセット内の全てのキャリアの同一サブフレームで、前記同期信号を送信することを含む。
【００３２】
具体的には、図５に示されるキャリアサブフレーム構造を参照し、図４に示される第２キャリアセットを例とすると、キャリア１とキャリア２はいずれも時間領域での４番目のサブフレーム、即ち、図５の斜線で充填されるサブフレーム３によって同期信号を送信する。理解すべきこととして、第２キャリアにおける全てのキャリアの同一サブフレームで、前記同期信号を送信するとした場合、該端末は、同期キャリアにおける同期信号の位置を、データ伝送の相手側端末に通知する時に、一つの指示情報だけで同期信号の位置を指示することができ、これにより、通知プロセスにおける指示情報のシグナリングオーバヘッドを節約することができる。
【００３３】
図３に示される考案の場合、第２キャリアセットに対して、一つの可能な実現形態では、ステップＳ３０２で説明した前記第２キャリアセット内の全てのキャリアで、同期信号を送信することは、前記第２キャリアセット内の全てのキャリアの異なるサブフレームで、前記同期信号を送信することを含む。
【００３４】
具体的には、図６に示されるキャリアサブフレーム構造を参照し、図４に示される第２キャリアセットを例とすると、キャリア１とキャリア２はそれぞれ時間領域における、異なるサブフレームで同期信号を伝送し、端末は、キャリア１の４番目のサブフレーム、即ち、図５に示される斜線で充填されるサブフレーム３によって同期信号を送信し、しかもキャリア２の７番目のサブフレーム、即ち、サブフレーム６によって同期信号を送信する。理解すべきこととして、第２キャリアにおける全てのキャリアの異なるサブフレームで、前記同期信号を送信する場合、該端末は、同期キャリアにおける同期信号の位置を、データ伝送の相手側端末に通知する時に、時間領域における同一サブフレームの時間領域リソースの衝突に起因する同期信号の伝送の失敗を回避することができる。同期信号伝送の成功率を向上させる。
【００３５】
本実施例に係る同期信号送信方法では、同期基準信号を提供することができる第１キャリアセットから第２キャリアセットを確定した後に、第２キャリアセット内の全てのキャリアでマルチキャリア伝送のための同期信号を送信する。これにより、カーインターネットシステムがマルチキャリア伝送を行う場合、同期信号の送信が実現される。
【００３６】
実施例２
上記実施例の同じ発明概念に基づき、図７を参照し、それが本発明の実施例による端末装置７０の構成を示し、該端末装置７０が確定部７０１と送信部７０２を備え、ここで、
前記確定部７０１が第１キャリアセットに基づいて第２キャリアセットを確定するように構成され、ここで、前記第１キャリアセットが、同期基準信号を提供することができるキャリアを含み、
前記送信部７０２が前記第２キャリアセット内の全てのキャリアで、同期信号を送信するように構成される。
【００３７】
上記解決策では、前記確定部７０１は、
前記端末装置がデータ伝送を行うために必要なキャリアに基づき、前記第１キャリアセットから前記第２キャリアセットを確定するように構成される。
【００３８】
上記解決策では、前記確定部７０１は、
前記端末がデータ伝送を行うために必要なキャリアと前記第１キャリアセットとの共通部分を前記第２キャリアセットとして確定するように構成される。
【００３９】
上記解決策では、前記送信部７０２は前記第２キャリアセット内の全てのキャリアの同一サブフレームで、前記同期信号を送信するように構成される。
【００４０】
上記解決策では、前記送信部７０２は前記第２キャリアセット内の全てのキャリアの異なるサブフレームで、前記同期信号を送信するように構成される。
【００４１】
上記解決策では、前記同期信号はグローバルナビゲーション衛星システム（ＧＮＳＳ）に基づく時間同期信号及び／又は周波数同期信号を含み、又は基地局に基づく時間同期信号及び／又は周波数同期信号を含み、又は端末に基づく時間同期信号及び／又は周波数同期信号を含むことができる。
【００４２】
上記解決策では、図８を参照すると、前記端末装置７０は、前記同期信号に基づき、前記端末がデータ伝送を行うために必要なキャリアで、マルチキャリアの同期伝送を行うように構成される伝送部７０３をさらに備える。
【００４３】
理解可能に、本実施例における端末装置７０は、デバイスツーデバイス（Ｄ２Ｄ）に応用される端末装置であってもよく、さらにはＶ２Ｘ技術に応用される端末装置であってもよい。そして、本実施例では、「部分」は、部分の回路、部分のプロセッサ、部分プログラム又はソフトウェアなどであってもよく、当然、ユニットであってもよく、またモジュールであってもよいし、非モジュール化であってもよい。
【００４４】
また、本実施例における各構成部は一つの処理ユニットに統合されてもよく、個々のユニットは単独で物理的に存在してもよく、二つ又は二つ以上のユニットは一つのユニットに統合されてもよい。上記の統合されたユニットはハードウェアの形態で実現されてもよいし、ソフトウェア機能モジュールの形態で実現されてもよい。
【００４５】
前記統合されたユニットは、ソフトウェア機能モジュールの形態で実現され、独立した製品として販売又は使用されない場合、一つのコンピュータ読み取り可能記憶媒体に記憶されてもよく、このような理解に基づき、本実施例の考案は本質的に又は従来技術に寄与する部分又は該考案の全て又は部分がソフトウェア製品の形で実現されてもよく、該コンピュータソフトウェア製品がコンピュータ装置（パーソナルコンピュータ、サーバ、又はネットワークデバイス等であってもよい）又はプロセッサ（ｐｒｏｃｅｓｓｏｒ）に本実施例に記載される方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【００４６】
したがって、本実施例はコンピュータ記憶媒体を提供し、該コンピュータ記憶媒体が同期信号を送信するためのプログラムを記憶し、同期信号を送信する前記プログラムが少なくとも一つのプロセッサに実行される時に上記実施例１に記載の方法のステップを実現する。
【００４７】
上記端末装置７０及びコンピュータ記憶媒体に基づき、図９を参照し、それが本発明の実施例による端末装置７０を示し、該端末装置７０がネットワークインタフェース９０１、メモリ９０２とプロセッサ９０３を備え、各部材がバスシステム９０４を介して結合される。理解できるものとして、バスシステム９０４はこれらの部材間の接続通信を実現することに用いられる。バスシステム９０４はデータバス以外、電源バス、制御バスと状態信号バスを含む。しかしながら、説明を明確にするために、図９では様々なバスシステムがバスシステム９０４として標識される。
【００４８】
ここで、前記ネットワークインタフェース９０１は、他の外部ネットワーク要素との情報の送受信において、信号を受信及び送信するように構成され、
メモリ９０２はプロセッサ９０３で実行可能なコンピュータプログラムを記憶するように構成され、
プロセッサ９０３は、前記コンピュータプログラムを実行する時に、以下の操作を実行するように構成される：
第１キャリアセットに基づいて第２キャリアセットを確定し、ここで前記第１キャリアセットが、同期基準信号を提供することができるキャリアを含み、
前記第２キャリアセット内の全てのキャリアで、同期信号を送信する。
【００４９】
本発明の実施例におけるメモリ９０２が揮発性記憶装置又は不揮発性記憶装置であってもよく、又は揮発性記憶装置及び不揮発性記憶装置両者を含むことができることは理解可能である。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲＲＡＭ：Ｄｉｒｅｃｔ  Ｒａｍｂｕｓ  ＲＡＭ）である。本明細書に記載されるシステムと方法のメモリ９０２はこれらといずれかの他の適切なタイプのメモリを含むことを図るがこれらに限定されない。
【００５０】
プロセッサ９０３は信号処理能力を備えた集積回路チップである可能性がある。実施プロセスでは、上記方法の各ステップは、プロセッサ９０３内のハードウェアの集積論理回路又はソフトウェアの形の命令によって完了されてもよい。上記プロセッサ９０３は汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本発明の実施例において開示される各方法、ステップ及び論理ブロック図を実現又は実行することができる。汎用プロセッサはマイクロプロセッサであってもよく、又は該プロセッサはいずれかの従来のプロセッサなどであってもよい。本発明の実施例と組み合わせて開示される方法のステップはハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ９０２に位置し、プロセッサ９０３はメモリ９０２における情報を読み取り、そのハードウェアと組み合わせて上記方法のステップを完了する。
【００５１】
理解できるものとして、本明細書に記載されるこれらの実施例は、ハードウェア、ソフトウェア、ファームウェア、ミドルウェア、マイクロコード又はそれらの組み合わせで実現されてもよい。ハードウェアで実現される場合、処理ユニットは、一つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理装置（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、汎用プロセッサ、コントローラ、マイクロコントローラ、マイクロプロセッサ、本出願に記載される機能を実行するための他の電子ユニット又はその組み合わせで実現されてもよい。
【００５２】
ソフトウェアで実現される場合、本明細書で記載される機能を実行するためのモジュール（例えばプロセス、関数など）によって本明細書に記載される技術を実現することができる。ソフトウェアコードはメモリに記憶されてプロセッサによって実行されてもよい。メモリはプロセッサ内部又はプロセッサ外部で実現されてもよい。
【００５３】
具体的には、端末装置７０におけるプロセッサ９０３はさらにコンピュータプログラムを実行する時に、上記実施例１に記載される方法のステップを実行するように構成され、ここでは説明を省略する。
【００５４】
上記は、本発明の好ましい実施例に過ぎず、本発明の保護範囲を限定するものではない。
【産業上の利用可能性】
【００５５】
本発明の実施例では、同期基準信号を提供することができる第１キャリアセットから第２キャリアセットを確定した後に、第２キャリアセット内の全てのキャリアでマルチキャリア伝送のための同期信号を送信する。これにより、カーインターネットシステムがマルチキャリア伝送を行う場合、同期信号の送信が実現される。
【図１】
2021516889.tif 000003
【図２】
2021516889.tif 000004
【図３】
2021516889.tif 000005
【図４】
2021516889.tif 000006
【図５】
2021516889.tif 000007
【図６】
2021516889.tif 000008
【図７】
2021516889.tif 000009
【図８】
2021516889.tif 000010
【図９】
2021516889.tif 000011
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
同期信号送信方法であって、端末装置により実行され、
第１キャリアセットに基づいて第２キャリアセットを確定し、ここで前記第１キャリアセットが、同期基準信号を提供することができるキャリアを含むことと、
前記第２キャリアセット内の全てのキャリアで、同期信号を送信することとを含む、前記同期信号送信方法。
【請求項２】
第１キャリアセットに基づいて第２キャリアセットを確定することは、
前記端末がデータ伝送を行うために必要なキャリアに基づき、前記第１キャリアセットから前記第２キャリアセットを確定することを含むことを特徴とする
請求項１に記載の方法。
【請求項３】
前記端末がデータ伝送を行うために必要なキャリアに基づき、前記第１キャリアセットから前記第２キャリアセットを確定することは、
前記端末がデータ伝送を行うために必要なキャリアと前記第１キャリアセットとの共通部分を前記第２キャリアセットとして確定することを含むことを特徴とする
請求項２に記載の方法。
【請求項４】
前記第２キャリアセット内の全てのキャリアで、同期信号を送信することは、
前記第２キャリアセット内の全てのキャリアの同一サブフレームで、前記同期信号を送信することを含むことを特徴とする
請求項１に記載の方法。
【請求項５】
前記第２キャリアセット内の全てのキャリアで、同期信号を送信することは、
前記第２キャリアセット内の全てのキャリアの異なるサブフレームで、前記同期信号を送信することを含むことを特徴とする
請求項１に記載の方法。
【請求項６】
前記同期信号は、グローバルナビゲーション衛星システム（ＧＮＳＳ）に基づく時間同期信号及び／又は周波数同期信号を含み、又は基地局に基づく時間同期信号及び／又は周波数同期信号を含み、又は端末に基づく時間同期信号及び／又は周波数同期信号を含むことができることを特徴とする
請求項１に記載の方法。
【請求項７】
前記方法はさらに、
前記同期信号に基づき、前記端末がデータ伝送を行うために必要なキャリアで、マルチキャリアの同期伝送を行うことを含むことを特徴とする
請求項２に記載の方法。
【請求項８】
端末装置であって、確定部と送信部を備え、ここで、
前記確定部が第１キャリアセットに基づいて第２キャリアセットを確定するように構成され、ここで、前記第１キャリアセットが、同期基準信号を提供することができるキャリアを含み、
前記送信部が前記第２キャリアセット内の全てのキャリアで、同期信号を送信するように構成される、前記端末装置。
【請求項９】
前記確定部は、
前記端末装置がデータ伝送を行うために必要なキャリアに基づき、前記第１キャリアセットから前記第２キャリアセットを確定するように構成されることを特徴とする
請求項８に記載の端末装置。
【請求項１０】
前記確定部は、
前記端末がデータ伝送を行うために必要なキャリアと前記第１キャリアセットとの共通部分を前記第２キャリアセットとして確定するように構成されることを特徴とする
請求項９に記載の端末装置。
【請求項１１】
前記送信部は前記第２キャリアセット内の全てのキャリアの同一サブフレームで、前記同期信号を送信するように構成されることを特徴とする
請求項８に記載の端末装置。
【請求項１２】
前記送信部は前記第２キャリアセット内の全てのキャリアの異なるサブフレームで、前記同期信号を送信するように構成されることを特徴とする
請求項８に記載の端末装置。
【請求項１３】
前記同期信号はグローバルナビゲーション衛星システム（ＧＮＳＳ）に基づく時間同期信号及び／又は周波数同期信号を含み、又は基地局に基づく時間同期信号及び／又は周波数同期信号を含み、又は端末に基づく時間同期信号及び／又は周波数同期信号を含むことができることを特徴とする
請求項８に記載の端末装置。
【請求項１４】
前記端末装置は、前記同期信号に基づき、前記端末がデータ伝送を行うために必要なキャリアで、マルチキャリアの同期伝送を行うように構成される伝送部をさらに備えることを特徴とする
請求項９に記載の端末装置。
【請求項１５】
コンピュータ記憶媒体であって、同期信号を送信するためのプログラムを記憶し、同期信号を送信するためのプログラムが少なくとも一つのプロセッサに実行される時に請求項１−７のいずれか一項に記載の方法のステップを実現する、前記コンピュータ記憶媒体。
【国際調査報告】
2021516889.tif 000012
2021516889.tif 000013
2021516889.tif 000014
2021516889.tif 000015